(57)【要約】  本発明は、表面モジュール（２０）、特に組み立てられた太陽光パネルを、少なくとも１つの支持体（３０）上、特に異形材レール上に、固定、特に締結する保持装置（１０）に関する。保持装置は、表面モジュール（２０）と相互作用するのに適した頭部（１２；１１２）と、支持体（３０）と相互作用するのに適した脚部（１６；１１６）と、頭部（１２；１１２）を脚部（１６；１１６）に結合するのに適した接続要素（１９）とを備える。頭部（１２；１１２）は、脚部（１６；１１６）に対し、保持装置（１０）の垂直軸（Ｈ）に沿って、接続要素（１９）により移動可能である。頭部（１２；１１２）は、脚部（１６；１１６）に対して、垂直軸（Ｈ）の周りに相互に回転した少なくとも２つの角度位置に配置可能である。この配置は、所定の回転角にて、頭部が、少なくとも１つ又は少なくとも２つの表面モジュール上にある角度位置のうちの少なくとも２つに配置されるようになされ、特に、１つ又はいくつかの接触部分は、それぞれの角度位置に応じて配列される。これにより、表面モジュールは、単一の種類の保持装置のみを用いて、単純で柔軟な方式で設置可能となる。
2016519729.tif 000002
【特許請求の範囲】
【請求項１】
特に組み立てられた太陽光パネルである表面モジュール（２０）を、特に異形材レールである少なくとも１つの支持体（３０）上に取り付ける、特に締結する保持装置（１０；１１０）であって、
−  前記表面モジュール（２０）と相互作用するのに適した頭部（１２；１１２）と、
−  前記支持体（３０）と相互作用するのに適した脚部（１６；１１６）と、
−  前記頭部（１２；１１２）を前記脚部（１６；１１６）と接続するのに適した接続要素（１９；１１９）とを備え、前記頭部（１２；１１２）は、前記接続要素（１９）により、前記保持装置（１０；１１０）の垂直軸（Ｈ）に沿って、前記脚部（１６；１１６）に対して移動可能であり、
頭部（１２；１１２）は、前記垂直軸（Ｈ）の周りに、予め設定された（相対）回転角だけ相互に回転した少なくとも２つの角度位置に取り付けられて、前記脚部（１６；１１６）に対して、前記頭部は、前記角度位置のうちの少なくとも２つに、特に、それぞれの角度位置に応じて配列される１つ又は複数の接触部分（１４ａ、１４ｂ、１５）とともに、少なくとも１つ又は少なくとも２つの表面モジュール上に取り付けられ得ることを特徴とする保持装置。
【請求項２】
前記頭部（１２；１１２）は、前記脚部（１６；１１６）に対し、前記垂直軸（Ｈ）の周りに、それぞれの所定の回転角で相互に回転した少なくとも３つの角度位置に取り付けられ得る請求項１に記載の保持装置（１０；１１０）。
【請求項３】
前記保持装置（１０；１１０）は、１つの表面モジュール（２０）又は２つの表面モジュール（２０）を、それぞれの角度位置に、前記支持体（３０）上に取り付けるのに適している請求項１又は２に記載の保持装置（１０；１１０）。
【請求項４】
相互に回転した少なくとも２つの角度位置のうちの少なくとも２つの間の前記回転角が、９０度の範囲内であり、好ましくは９０度である請求項１、２又は３に記載の保持装置（１０；１１０）。
【請求項５】
前記頭部（１２；１１２）は、主として前記垂直軸（Ｈ）の方向に延びる支持側部（１２ａ；１２ｂ）を有する請求項１から４のいずれかに記載の保持装置（１０；１１０）。
【請求項６】
前記支持側部（１２ａ；１２ｂ）は、対応する方向における前記頭部（１２；１１２）の幅（ｂ１）よりも狭い幅（ｂ２）を有し、特に、前記頭部（１２；１１２）の幅の広くとも２／３、好ましくは前記頭部（１２；１１２）の幅の約半分であり、支持側部の幅は、前記脚部上の前記支持側部が接触している１つの領域にて、前記脚部の幅以上であることが好ましい請求項５に記載の保持装置（１０；１１０）。
【請求項７】
前記支持側部（１２ａ；１２ｂ）は、前記頭部（１２；１１２）のプレート（１３；１１３）と一体に形成され、前記プレート（１３；１１３）は、主として、前記保持装置（１０；１１０）の前記垂直軸（Ｈ）に直交して延びる請求項５又は６に記載の保持装置（１０；１１０）。
【請求項８】
前記支持側部（１２ｂ）は、前記頭部（１１２）のプレート（１１３）とともに、Ｌ形断面を形成する請求項５から７のいずれかに記載の保持装置（１０；１１０）。
【請求項９】
前記頭部（１２；１１２）は、１つの三辺接触部分又は３つの接触部分（１４ａ、１４ｂ、１５）、特に、各々が表面モジュール（２０）と接触するのに適した接触縁端を、特に、それぞれの角度位置にあるそれぞれの表面モジュール（２０）のフレーム部上に、有する請求項１から８のいずれかに記載の保持装置（１０；１１０）。
【請求項１０】
前記１つ又は複数の接触部分（１４ａ、１４ｂ、１５）は、前記頭部（１２；１１２）のプレート（１３；１１３）により形成され、前記接触部分（１４ａ、１４ｂ、１５）における前記プレート（１３；１１３）は、好ましくは、前記脚部（１６；１１６）を向いたそれぞれの湾曲部（１３ａ）を有する請求項９に記載の保持装置（１０；１１０）。
【請求項１１】
前記頭部（１２；１１２）及び／又は脚部（１６；１１６）は、折曲部として、好ましくは打抜折曲部として形成される請求項１から１０のいずれかに記載の保持装置（１０；１１０）。
【請求項１２】
前記脚部（１６；１１６）は、特に、垂直軸（Ｈ）に垂直な径方向に、且つ、特に、前記脚部の隣接する表面部に対して、少なくとも部分的に相互に弾性移動する２つの腕部（１７ａ、１７ｂ）を有する請求項１から１１のいずれかに記載の保持装置（１０）。
【請求項１３】
前記脚部（１６；１１６）は、前記支持側部（１２ａ）をそれぞれ保持する案内面（１７ａ．１、１７ｂ．１）及び／又は接触面（１６ａ、１６ｂ；１１６ａ）を有し、面上で、前記支持側部（１２ａ）が前記脚部（１６、１１６）に対する所定の回転角に配置及び／又は移動可能である請求項１から１２のいずれかに記載の保持装置（１０；１１０）。
【請求項１４】
前記脚部（１１６）は、Ｕ形断面を有し、反対側に位置する２つの接触面（１１６ａ）を特徴付け、面上で、支持側部（１２ｂ）は、前記脚部（１１６）に対して、周辺縁端（１２ｂ．１）により、適用及び配置可能である請求項１から１３のいずれかに記載の保持装置（１１０）。
【請求項１５】
前記脚部（１１６）は、接触面（１１６ａ）上に配列されるとともに、前記接続要素（１１９）を案内して前記頭部（１１２）を前記脚部（１１６）に対して位置決めするように配列された、案内部（１１６．１）を有する請求項１から１４のいずれかに記載の保持装置（１１０）。
【請求項１６】
前記接続要素（１１９）は、前記保持装置（１１０）が自動的に固定されるように、前記脚部（１１６）内へ案内される請求項１から１５のいずれかに記載の保持装置（１１０）。
【請求項１７】
少なくとも１つの表面モジュール（２０）、特に組み立てられた太陽光パネルと、少なくとも１つの支持体（３０）、特に異形材レールと、請求項１から１６のいずれかに記載の少なくとも１つの保持装置（１０；１１０）とを備えたことを特徴とするシステム（１）。
【請求項１８】
前記保持装置（１０；１１０）が、前記少なくとも１つの表面モジュール（２０）及び支持体（３０）に対して、前記保持装置（１０；１１０）の前記脚部（１６；１１６）により接続され、前記脚部は、前記保持要素（３０）に対して押し込み式で接続され、好ましくは、引張荷重を受け、前記頭部（１２；１１２）は、前記少なくとも１つの表面モジュール（２０）上に配置され、好ましくは、少なくとも２つの接触部分（１４ａ、１４ｂ、１５）を有し、且つ好ましくは、主として曲げ応力を受ける請求項１７に記載のシステム（１）。
【発明の詳細な説明】
【技術分野】
【０００１】
本発明は、請求項１に記載の、表面モジュールを支持体に取り付けるための保持装置に関する。
【背景技術】
【０００２】
例えば、太陽熱パネル又は太陽光パネルなどの表面モジュールが組み立てられる場合、このようなモジュールは、アクセスしにくい屋根の傾斜部又はファサード上に設置される必要があるため、単純な構造のホルダ又はブラケットとともに機能することが望ましい。同時に、ホルダは、特に高い安定性及び安全性のあるキャリア上に、モジュールを維持可能であるべきである。最後に、キャリアとモジュールとの接続が、特に、あらゆるファサード、あらゆる屋根、及び特定の寸法を有するモジュール自体のように、所定の設置位置なしに、特に柔軟に設置され得ることも、非常に重要である。ある場合には、このような理由により、異型成形（ｐｒｏｆｉｌｅ  ｍｏｌｄｉｎｇ）が用いられ、これにより、ホルダが、任意の所望の定位置に固定可能となる。モジュールの一部上に、ある場合には、摩擦、及び／又はフォーム嵌合接続（ｆｏｒｍ−ｆｉｔｔｅｄ  ｃｏｎｎｅｃｔｉｏｎ）により、モジュール・フレームの任意の位置に用いられ得る設置位置が設定されている。
【０００３】
特許文献１は、ねじを保持要素及び締結要素に適用することにより、第１の部品を第２の部品上に取り付けるために用いられ得る固定具を示しており、１つの部品の１つの下面にねじを用いて、拡張要素が保持要素で補強される。
【０００４】
この固定具の短所は、第１に、個々の部材が多数必要であり、第２に、部材のうちの１つの所定の開口内にのみ組立可能ということである。このような各開口は、対応する部材上に、各々について適切な位置に設けられる必要があり、これにより、設置計画に要する取り組みが増えてしまう。
【０００５】
例えば、太陽光モジュールなどの単一の表面モジュールのみが屋根上に設置されるのではなく、できるだけ多くの太陽エネルギーが屋根に放射可能となるように、通常はいくつもの表面モジュールが、屋根表面のかなりの部分に対して取り付けられることが多い。このように、隣接する表面モジュールを、１つ及び／又は複数の同一の保持装置で取り付けることは、有益である。換言すると、２つの隣接する表面モジュール間に用いられる保持装置は、特に、２つの表面モジュールを同時に保持するように設計される。ただし、単一の表面モジュールのみで用いられるか、又は単一の表面モジュールのみを支持体上に留めるだけのために設計された異なる保持装置が、平面状の配列全体の縁辺に用いられる。この短所は、様々な保持装置が製造される必要があることであり、それによって、単位原価が増加してしまう。更に、各設置点及び状況に適切な保持装置を探して設置することは、屋根上の設置作業者にとって、必ずしも簡単なわけではない。特に、屋根が傾斜している場合には、簡単なことではない。
【０００６】
特許文献２は、適合した各々が、その上に配列されたアームにより特徴付けられた保持装置を用いて、太陽光モジュールを支持体上に取り付けるための設置システムを示し、アームは、設置された場合に、支持体における対応する内部長手溝内に係合している。長手溝は、支持体の角領域内の表面に設けられ、引張荷重がかかっていてもよい。これにより、長手溝との形状嵌合接続が、自動的にロックされる。このように、それぞれの取付手段は、頭部と支持体との間に配置されたモジュールに、圧縮力をかけ得る。
【０００７】
この配列の短所は、特殊な組立状況を必要とすることであり、保持装置を支持体上に安全に保持することが、組立後においてのみ確実になるということである。取り扱いが特に容易ということはない。
【０００８】
特許文献３は、２つの太陽光パネルが保持装置間に締結されるように、第１の保持要素が、第２の保持要素におけるガイド・バー内に案内される、太陽光パネルのための保持装置について、説明している。
【０００９】
特許文献４は、締結キャップが、締結レセプタの空間内に案内され、スペーサに隣接した両側にて、締結レセプタと締結キャップとの間に２つのモジュールを、必要に応じて締結する、例えば、光電モジュールを取り付ける締結レセプタについて、説明している。
【００１０】
特許文献５は、ベース要素上の様々なスナップ・ロック位置にて組み立てられ得る保持腕部（ｈｏｌｄｉｎｇ  ｌｉｍｂ）を有する、組み立てられた光電モジュール用のエンド・クランプについて、説明している。
【００１１】
特許文献６は、太陽光モジュール・フレームと組立バーとの間で補強可能なアーチ形状部を有する太陽光モジュール・フレームのための保持要素について、説明している。
【先行技術文献】
【特許文献】
【００１２】
【特許文献１】欧州特許出願公開２，４１０，１９０Ａ１号明細書
【特許文献２】欧州特許出願公開２，０２９，９４６Ａ１号明細書
【特許文献３】欧州特許出願公開２，０９０８，４７Ａ２号明細書
【特許文献４】欧州特許出願公開２，３０９，５５２Ａ１号明細書
【特許文献５】独国実用新案出願２０，２０１１，１０７８４３Ｕ１号明細書
【特許文献６】欧州特許出願公開２，４９５，５０７Ａ１号明細書
【発明の概要】
【発明が解決しようとする課題】
【００１３】
本発明の目的は、表面モジュールをより柔軟に設置することが可能であるとともに特により単純な保持装置を、提供することにある。保持装置は、単純な構造からなり、特別な設置技能がなくとも、現場で設置する状況にて使用可能であることが好ましい。更に、保持装置は、特に安全及び／又は安定に接続することが可能であることが好ましい。
【課題を解決するための手段】
【００１４】
上述の目的の少なくとも１つが、請求項１に記載の保持装置にて達成されている。
【００１５】
本発明は、第１に、組み立てられた太陽光パネルである表面モジュールを、特に異形材レール（ｐｒｏｆｉｌｅ  ｒａｉｌ）である少なくとも１つの支持体上に取り付ける、特に、締結する保持装置であって、
−  表面モジュールとともに働くように配列された頭部と、
−  支持体とともに働くように配列された脚部と、
−  頭部を脚部と接続可能とする接続要素とを備え、頭部は、接続要素により、保持装置の垂直軸に沿って、脚部に対して移動可能である保持装置である。
【００１６】
本発明によると、頭部は、垂直軸の周りに、予め設定された（相対）回転角だけ相互に回転した少なくとも２つの角度位置に取り付けられて、頭部は、角度位置のうちの少なくとも２つに、特に、それぞれの角度位置に応じて配列される１つ又は複数の接触部分とともに、少なくとも１つ又は少なくとも２つの表面モジュール上に取り付けられる。これにより、保持装置は、必要に応じて、様々な配列で使用可能となる。特に、必要に応じて、１つの表面モジュールのみ又は２つの表面モジュールを保持及び／又は補強するために、使用可能となる。設置状況にかかわらず、１種類のみの保持装置が必要とされる。これにより、不適切な保持装置で誤って設置されることがなくなる。いくつもの表面モジュールの配列を済ませるまで、設置作業者は、表面モジュールを、支持体に対して、又は相互に、どのように配列するか、自由に選択することができる。これにより、高度の柔軟性が得られ、設置計画及び／又は作業準備が容易になる。頭部は、脚部に関して、第１の定義角度位置又は第２の定義角度位置に、配列され、及び／又は取り付けられるように、選択され得る。
【００１７】
この状況での保持装置は、対応する支持体を伴う表面モジュール間で作用する器具として理解されることが好ましい。この作用は、締結力を表面モジュールから支持体へと伝えることで、張力が支持体にて表面モジュールに伝わることによる。スナップ・ロック接続、及び他の形態での固定接続により、張力が確実に提供されてもよい。また、このような保持装置は、締結具であってもよい。この締結具では、スナップ・ロック接続を追加することなく、保持装置のみを用いて、それぞれの表面モジュールが、対応する支持体で補強され、特に、表面モジュールと支持体との間の摩擦接続（特に、表面摩擦に基づく）により補強される。保持装置を締結具として使用することにより、特に、個々の表面モジュールについて可能な様々な配列で、迅速で柔軟な設置が可能となる。これは、屋根やファサードに予め取り付けられた支持体に、特に都合が良い。複数の表面モジュールを有する複雑なシステムにおける単一の表面モジュールが、交換される場合であっても、このような締結具は、締結接続が緩められて、保持装置／締結具及び表面モジュールが取り外される点で、有益である。同時に、隣接する残りの表面モジュールが、同一の締結具で再設置されてもよい。
【００１８】
接続要素は、好ましくは、ねじとして実施される。ねじは、ねじ筋が切られて、好ましくは脚部内に挿入された相手ねじとともに働くことができる。
【００１９】
ある好適な実施形態によると、頭部は、垂直部の周りに相互に回転した少なくとも３つの角度位置に、事前設定された脚部に対する回転角で、取り付けられ得る。これにより、設置の際に、特に良好な柔軟性が得られる。頭部は、例えば、単一の表面モジュールを、３つの様々な角度位置に取り付けるように使用可能である。これにより、表面モジュールは、保持装置に対し、３つの角度位置に配列され得る。頭部は、各角度位置に容易に回転し得る。
【００２０】
ある好適な実施形態によると、保持装置は、必要に応じて、頭部が脚部に対して第１の事前設定角度位置にある場合、１つの表面モジュールのみを支持体に取り付けるために配列され、又は頭部が脚部に対して第２の事前設定角度位置にある場合、２つの表面モジュールを支持体上に取り付ける。これにより、同一の保持装置を、１つのみの表面モジュール又は２つの表面モジュールを取り付けるために利用可能である。そして、他の表面モジュールは、既に設置済みの表面モジュールに対して、容易に追加設置され得る。この目的のため、第１の表面モジュールが、最初に締結されてから、第２の表面モジュールが与えられるとすぐに、例えば屋根上で、第１の表面モジュールの締結が、再び部分的に取り外され、２つの表面モジュールが締結され得る。このことによっても、設置（除去）の際の個々のステップが容易になる。
【００２１】
また、保持装置は、中間縁端クランプと称することもある。これは、必要に応じて、単一の表面モジュールの縁端上に、又は２つの表面モジュール間の中間に、配列され得るためである。双方の配列において、保持装置は、このように機能し得るものであり、脚部に対する頭部の様々な可能な角度位置により、同等の効果が得られる。したがって、保持装置は、これまで必要とされていて縁端及び中間のどちらかの設置用に特別に設計される必要があった少なくとも第２の種類の取り付けに、完全に取って代わることになる。
【００２２】
ある好適な実施形態によると、回転角は、約９０度の範囲内、好ましくは９０度の相互に回転した少なくとも２つの角度位置のうちの少なくとも２つの間にある。これにより、保持装置は、必要に応じて、１つ又は２つの表面モジュールを、支持体上に、同一の位置で取り付けることが可能となり、各頭部は、例えば、脚部の中央プレートにより支持される。中央プレートは、この目的のために、正方形基礎になっていることが好ましい。必要に応じて、３つの表面モジュールを取り付けることもできる。
【００２３】
また、回転角は、約１８０度の範囲であってもよく、好ましくは１８０度であり、及び／又は約２７０度の範囲であってもよく、好ましくは２７０度である。これにより、頭部は、脚部に対して、３つ又は４つのそれぞれの回転角内に配列可能であり、設置は、特に柔軟になる。
【００２４】
ある好適な実施形態によると、頭部は、特に、頭部の一体のプレートにより、垂直軸に対して直交して位置決めされた平面の方向の脚部よりも上に上がっている。これにより、特に、それぞれの要素部（ｅｌｅｍｅｎｔ  ｓｅｃｔｉｏｎ）により、１つ、２つ又は３つの表面モジュールについて、頭部が容易に固定可能となる。表面モジュールは、脚部に近接して横向きに配列され得るか、又は脚部上に固定され得る。頭部は、脚部に重なるか又は脚部から突出し、このため対応する表面モジュールから突出することになる。
【００２５】
ある好適な実施形態によると、頭部は、主として垂直軸の方向に延びる支持側部を有する。これにより、特に安定な保持装置が提供可能となる。特に、保持装置上に非対称の応力がかかる場合、保持装置が１つの表面モジュール上にのみ用いられる場合に、このことが成り立つ。接続される場合、支持側部は、垂直軸の方向において脚部に重なる脚部上に取付可能となる。支持側部は、脚部と重なるのに充分な長さに、垂直軸の方向に延びる。
【００２６】
２つの隣接した表面モジュール間の保持装置の配列については、保持装置内の力の経路は、主として対称に拡がり得るが、表面モジュールの平面配列の縁端に用いられる場合には、保持装置には非対称に応力がかかるので、少なからぬ部分に曲げ応力がかかることになる。保持装置の受け入れ難い変形を避けるために、保持装置は、縁端にて使用されても充分に安定となるように設計される必要がある。設置状況に応じて異なる保持装置上の応力も、既知の保持装置が設計される重要な理由、すなわち、様々な設置状況に応じて、様々な方式で設計する必要がある重要な理由である。支持側部により、折り曲げる力が受け止められ、有効な状態に伝達される。
【００２７】
ある好適な実施形態によると、支持側部の幅は、それぞれの方向に頭部の幅未満であり、特に、頭部の幅の広くとも２／３であり、好ましくは頭部の幅の約半分である。これにより、頭部は、支持体上の脚部の位置を変える必要がなく、脚部に対して、様々な角度位置に配置可能となる。この支持側部は、角度位置にかかわらず、支持モジュールと接触することはない。支持側部の幅は、支持側部が配置された領域における脚部の幅以上であることが好ましい。このように、支持側部は、確実に、脚部に対して間接的に位置決めされ、捩れから保護されて、脚部にて配置されることが可能となる。支持側部の幅は、それぞれの接触領域内の脚部の幅よりも多少広くなることが好ましい。これにより、支持側部は、脚部に沿って移動可能となり、横方向の組み立てができ、工程における脚部のための境界ができる。更に好ましいのは、脚部における２つの反対側の脚又は案内面の距離が、支持側部の幅よりも短いことであり、これにより、支持側部は、２つの反対側の脚又は案内面を、９０度回転した配列であっても組み立てることが可能となる。この選択は、接触領域における脚部の幅と少なくとも同等な距離についてのものである。
【００２８】
好適な実施形態によると、支持側部は、頭部のプレートと一体に設計されている。プレートは、主として、保持装置の垂直軸と直交して延びている。これにより、堅牢であり続ける保持装置を提供可能となり、これについて、曲げトルク及び／又は支持側部による保持装置からの力は、脚部へともたらされる。支持側部は、プレートと少なくともほぼ直交して延びている。頭部は、折曲部、又は打抜折曲部として実施されることが好ましい。このように、支持側部は、頭部内で均一且つ急増なく、脚部上のプレート内で力を伝達可能である。
【００２９】
プレート内には、接続要素が貫通可能な開口があることが好ましい。開口は、例えば、打抜開口又は穿孔である。更に、開口は、垂直軸と同心且つ垂直軸を中心として、プレートの中心に配列されていることが好ましい。このように、回転角が事前設定された３つ以上の配列が、簡単に提供可能である。
【００３０】
支持側部は、外側側部と、内側側部とを有することが好ましい。更に、好ましくは、側部は、互いにＶ形に配列されるか、又は、少なくとも、外側側部が、曲げトルクを受け止めて伝達するのに有利な、内側側部に対する角度で、配列される。側部間の角度は、例えば、５度から４５度の範囲であり、好ましくは、７度から２５度の範囲であり、更に好ましくは、１０度から２０度の範囲である。これにより、良好な安定性、特に、曲げ剛性が提供され、比較的少ない量の材料及び／又は費用効果の高い原材料を用いて（特に、金属薄板、例えば、鋼板、又は、ステンレス鋼板、プラスチック射出成形、ダイキャスト・アルミニウム、ダイキャスト亜鉛）、より大きな力に対しても、補強機能が満たされ得る。曲げ剛性は、特に、保持されるべき表面モジュールの縁端に水平に配列されるとともに垂直軸に直交する横断軸について、最適化され得る。好ましくは、外側側部は、垂直軸に対して、例えば、３度から３０度の範囲内、好ましくは、５度から２０度の範囲内、更に好ましくは７度から１５度の範囲内のある角度で配列される。これにより、頭部の剛性及び／又は安定性を良好に保ちつつ、頭部内でのプレートから頭部の支持側部へと力及び／又はトルクを伝えることが可能となる。２つの側部は、それ自体折り曲げられた一体の（金属薄板）部分で形成されてもよい。この部分は、折り曲げられ、及び／又は一方の側部へと折り返されている。
【００３１】
ある実装例では、支持側部は、一方の端部が例えば冷間溶接されて、プレートの下面に対して取り付けられている。また、支持側部は、貫通、プレス、点溶接、溶接、ニップル係合（ｎｉｐｐｌｅ  ｆｉｔｔｉｎｇｓ）により、下面に対して取り付けられてもよい。
【００３２】
ある実装例では、支持側部は、脚部に対応させて設計された２つの支持リブ（ｒｉｂｓ）を特徴付けてもよい。すなわち、支持リブは、脚部の対応する部分上に配置することができるように、配列されてもよい。支持リブ間には、凹部があることが好ましい。更に別の選択として、支持側部の内側側部内に凹部が形成されることがあり、これは、支持側部の１つの外側側部の一部に亘っても延びており、特に、外側側部と内側側部とが隣接する側部点の領域内に延びている。凹部は、脚部上の突起と係合するように設計されている。一方において、これは、捩れるおそれなく脚部上で相互に向けて回転した配列にて頭部を配置するために、且つ、設置中に相対的に回転することを防ぐために都合が良い。他方において、頭部を脚部に対して保持装置の垂直軸の方向に案内することが容易になる。
【００３３】
好適な実施形態によると、支持側部は、頭部のプレートとともにＬ形断面を形成する。このような異形材は、簡単な方式で生成可能であり、特に、２つの異形材の腕部の角度が、９０°未満、例えば８０°であるか、又は、支持側部を形成する腕部が、例えば、Ｓ曲線の形状のオフセットで内側にずれていると、配列における良好な安定性を提供する。
【００３４】
代替的実施形態によると、支持側部は、垂直軸と少なくともほぼ直交して接続要素を貫通可能な開口を有するフラップを特徴付ける。これにより、少量の材料及び軽量の構造を用いて、高い安定性が確保可能となり、特に、強い曲げトルクが横断軸の周りに吸収される。フラップは、接続要素により保持されている。したがって、支持側部は、頭部上のプレートの下面に、必ずしも（追加的に）固定される必要はなく、支持側部がプレートから離れるおそれもなくなる。したがって、頭部を、自動ロックと称することもある。少なくとも、接続要素が中に設けられるとすぐに、という意味で自動である。
【００３５】
好適な実施形態によると、頭部は、１つの三辺接触部分又は３つの接触部分を示す。接触部分は、特に、表面モジュール上で、それぞれの角度位置にある表面モジュールのフレーム部に各々が配置されるべき接触縁端である。これにより、少なくとも１つの縁端が、保持装置における頭部の脚部に対する様々な角度位置の各々について提供可能となるので、これは、保持装置から表面モジュールへと力を伝達するために用いられ得る。縁端は、鋭角、すなわち、９０°未満の角度を有する。好適な材料は金属であり、これは、組み合わされた表面モジュールの陽極処理層を破るためである。
【００３６】
三辺接触部分又は３つの接触部分には、特に、１つのみの表面モジュールを取り付けるか、又は２つ若しくは３つの表面モジュールを取り付ける柔軟な使用に、頭部を用いることができるという利点がある。３つの表面モジュールが取り付けられる場合、各辺又は各接触部分は、少なくとも１つの表面モジュール上に配置されることが好ましく、２つの表面モジュールが取り付けられる場合、少なくとも２つの側面又は接触部分は、少なくとも部分的に各表面モジュール上に配置されることが好ましい。単一の表面モジュールのみが取り付けられる場合、３つの側面又は接触部分の全ては、少なくとも部分的に表面モジュール上に配置され得る。
【００３７】
接触は、線状であることが好ましい。すなわち、各接触縁端は、一方向のみに延びている。これについて、便宜上、接触縁端は、同一平面上に配列されている。接触縁端は、頭部の自由端領域により形成されていることが、更に好ましい。接触縁端は、頭部の全範囲に亘り、それぞれの方向に、少なくともほぼ形成され得る。１つの選択として、凹部が、２つの隣接する接触縁端間の頭部内に形成される。これにより、頭部上の接触部分を、例えば曲げにより、１つだけ形成する選択肢が得られる。
【００３８】
接触部分は、互いに向けて垂直軸の周りに特に同じ角度で配列されることが好ましく、接触部分は、互いに少なくともほぼ９０度で隣接することが、更に好ましい。ここで、これらの部分は、組み合わされた表面モジュール内に確実に固定可能であり、特に、接触部分は、表面モジュール上の様々な方向に摩擦力をかけることが可能であり、及び／又は様々な形態の方向に閉じた形態を形成することが可能であるので、表面モジュールは、対応する支持体に対してより安定に押圧されることが可能となる。各部間の角度のついた配列により、交差した形状の接触面が得られる。これにより、保持装置に対する表面モジュールのずれについて、良好な安全性が得られる。
【００３９】
１つの選択として、少なくとも部分的な接触縁端の３つのうちの少なくとも２つが、設置の際に、表面モジュール上に配列される。更に別の選択として、接触縁端の少なくとも１つが、表面モジュール上に完全に配置され、接触縁端のうちの１つが、接触縁端の部分のみを介して配置される。
【００４０】
好適な実施形態によると、１つ又は複数の接触部分の側面は、それぞれの角度位置に対応する角度で、互いに配列され、特に、少なくとも部分的には、互いに９０°の角度で配列されている。この配列により、確実に、表面モジュールは、特定の角度位置にかかわらず、効率的に固定され得る。
【００４１】
好適な実施形態によると、３つの接触部分が、頭部の縁端部分上にあることが意図されており、支持側部は、頭部における他の縁端部分から突出している。これにより、保持装置の構成は確実に単純になり、頭部は、自身の寸法に関し、広い重複部分に亘って、対応する表面モジュールと結合され得る。これにより、接続の安定性が向上する。
【００４２】
好適な実施形態によると、３つの接触部分は、頭部のプレートにより形成される。プレートは、好ましくは、脚部を向いた接触部分の領域内に湾曲部を示す。これにより、接触部分を、頭部上に、特に曲げ及び特に同時に、簡単な方式で設けることが可能となる。同時に、プレートが、後に加わる（連続的）張力に対して塑性的に変形するため、良好な強度が保障可能となる。湾曲部は、それぞれの接触部分に沿って延びる折曲縁端により形成されることが好ましい。湾曲部は、特に、ちょうどドームのように、力を縁端へ効率的に伝えるために、プレートの剛性を向上させるように働く。
【００４３】
ある好適な実施形態によると、３つの接触部分は、少なくとも１つの突出要素を有し、下面のその各々は、設置された場合に、対応する表面モジュールを指し、及び／又は脚部は、少なくとも１つの突出部を有する介在部を特徴付けており、頭部及び／又は脚部は、導電性材料製である。これにより、電流の散逸又は接地機能（等ポテンシャル化）が、保持装置により提供可能となる。これにより、対応する表面モジュール及び／又は支持体上の追加の散逸ケーブルに先行することが可能となる。突出要素により、組み合わされた表面モジュールの陽極処理層に刻目を付けることが可能となる。
【００４４】
ある好適な実施形態によると、頭部及び／又は脚部は、折曲部として、好ましくは打抜折曲部として形成される。これにより、単純な構成及び製造の費用効果が高い堅牢な保持装置を提供可能となる。頭部及び脚部は、打抜折曲部として形成されることが好ましい。更に好ましくは、頭部及び脚部は、金属薄板を打ち抜いてから曲げることによってのみ得られる。特に、好ましくは、保持装置が、３つの部分の組立体部品であり、第１の一体部品としての頭部と、第２の一体部品としての脚部と、接続要素とを備える。これにより、単純で費用効果の高い、特に、容易に取扱可能な保持装置の構造が提供される。
【００４５】
好適な実施形態によると、脚部は、特に、垂直軸に垂直な径方向に、且つ、特に、脚部の隣接する表面部に対して、少なくとも部分的に相互に弾性移動する２つの腕部を有する。これにより、保持装置を対応する支持体に対して、簡単に、特に片手で、確実に設置できるようになる。腕部は、縁端を押し込むのに充分柔軟にする、及び／又はクリック若しくはクリップ・オン接続の下部を切り取るように、相互に弾性的に移動可能であってもよい。
【００４６】
脚部は、２つの腕部を有することが好ましい。その各々は、脚部へと打ち抜かれる打抜表面部を特徴付けており、支持体及び／又は対応する腕部の隣接部分に関して内側へずれている、又は内側へ弾性的にずれていてもよい。支持体は、この場合、接触領域により形成され得る。この領域にて、支持側部は、とりうる回転位置の１つに配置可能である。打抜表面部上には、フックのある介在部があることが好ましい。フックは、脚部と支持体との間に、押込ロック接続を形成するのに用いられ得る。
【００４７】
打抜表面部は、腕部の残りの部分の一方の側の上に、特に、頭部に向いた側面上に、弾性的に配置されるだけとすることが好ましい。これにより、打抜表面部を、特に、保持装置を支持体状に固定するために、内側へ曲げて、弾性的に再配置する単純な手段が得られる。脚部は、片手で把持可能であり、その手の指２本で両側の打抜表面部を配置し、打抜表面部を弾性的に下方へ押し込み得る。押込接続は、例えば、クリック又はスナップ・ロック接続により形成され得るので、脚部もクリック・オン脚と称することになる。このように、保持装置を簡単に取り扱うことにより、確実に、特に、保持装置を支持体上に片手で設置することも可能になる。フックは、介在部へと打ち抜かれ、介在部における隣接する部分よりも外側へ曲がった表面部により形成されることが好ましい。これにより、クリック音手段により、設置作業者のためにも有益な音響フィードバックが得られるようになる。
【００４８】
介在部は、対応する腕部の幅よりも広い幅を有することが好ましい。これにより、表面モジュールが設置されておらず、保持装置が支持体から自由に突出していたとしても、保持装置は、支持体上に、特に堅牢な方式で配列可能となる。介在部が適切な幅を有する場合、保持装置は、支持体から簡単に脱落したり、又は引き抜かれたりすることがないが、その代わりに、打抜表面部は、意図的に弾性変形する必要がある。しかしながら、これは、対応する作用なしではなされない。特に、打抜表面部は、腕部の隣接する部分から内側へずれているためである。更に、介在部の幅は、脚部の１つの垂直軸周りの周囲の半分の範囲内であることが好ましい。特に、幅は、少なくとも周囲の半分とほぼ同じである。これにより、打抜折曲部の場合に、材料の全てを使用可能となり、保持装置の機能のために有益に用いられることになる。フックのある好適な種類のものは、少なくともほぼ介在部の全幅に亘っている。これにより、安定性、特に、配列の安定性及び／又は支持体上の固定が、更に向上する。支持体の界面上の接触圧力は、低いまま保たれる。
【００４９】
介在部は、その下面上に接触縁端を有することが好ましく、これにより、脚部は、支持体に接触可能となる。介在部の幅をできるだけ広くすることにより、及び、好ましくは、介在部を全幅に亘って被覆するために接触縁端を設けることにより、保持装置は、特に堅牢且つ安全な方式で、支持体と接続可能となる。これにより、特に、傾斜した屋根上に、表面モジュールの設置が容易になるので、保持装置は、まず、支持体とのみ接続され、保持装置を直ちに表面モジュールと接続する必要なく、支持体に対して、自由に取り付けられ得る。
【００５０】
ある実装例では、脚部は、支持側部、特に、支持側部内の凹部とともに作用するようにした突起及び／又は突出回転保護部を有する。更に、脚部は、４つの回転保護部を有することが好ましい。これらは、垂直軸に関して互いに９０度及び／又は１８０度及び／又は２７０度回転したものである。これにより、頭部は、案内されて、脚部の４辺を中心として、所与の回転角でのそれぞれの回転角配列をとることが可能となる。
【００５１】
ある好適な実施形態によると、脚部は、案内面、及び／又は接触面を示し、各々が、支持側部を保持し、支持側部は、脚部に対して予め設定された回転角で配置及び／又は再配置され得る。これにより、安定した配列が得られ、支持側部から脚部への曲げトルクは、安定して、特に対称に生じ得る。必要に応じて、案内面も、１つ又はいくつかのブリッジとして作製され、及び／又は１つ又はいくつかのブリッジにより設けられ得る。
【００５２】
好ましくは、保持装置は、２つのブリッジ及び／又は２つの案内面のそれぞれが設けられた２つの腕部を有する。好ましくは、支持側部は、対応する配列内に、所与の回転角で、４つのブリッジ又は案内面のうちの２つの上に配置される。脚部の狭い側が、対応するブリッジを形成し得る。必要に応じて、ブリッジは、突出部によっても形成され得る。例えば、レール又は材料を厚くすることにより形成され得る。
【００５３】
それぞれの案内面は、脚部の表面部を折り曲げたもので形成され得る。好ましくは、脚部は、接続要素と螺合する雌ねじが切られた中央プレートを有する。表面部は、中央プレートへ向けて曲げられており、中央プレートへ向けて少なくともほぼ９０度に配列されている。これにより、確実に、小形、対称及び安定な構造が得られる。それにもかかわらず、脚部は、簡単な方法で製造可能である。雌ねじは、中央プレートの中央に配列されることが好ましい。このように、所与の回転角のいくつかの配列、特に、２つ〜４つの配列が、簡単な方式で提供され得る。接触面により、支持側部のために支持体が、（追加の）回転配列にて提供され得る。
【００５４】
案内面は、好ましくは、このように中央プレートに向けて曲げられており、中央プレートと案内面との間にインデントが形成されるように配列されていることが好ましい。
【００５５】
中央プレートは、少なくともほぼ支持側部の幅である幅を有することが好ましい。これにより、確実に、特に、頭部を安定して支持することができるようになる。インデントのある好適な種類のものは、少なくともほぼ中央プレートの全幅に亘っている。このため、支持側部の側部端に向かう対向ベアリングを設けることが、インデントにより可能となる。そこでは、側部端が必要に応じて配列されている。このように、頭部は、側部端がインデント内で静止するまで、好ましくは、ねじ込まれるか、又は脚部上に押し込まれるので、表面モジュールは、事前設定可能な応力を予め与えることで、支持体に対して設けられ得る。これは、保持装置に対する過荷重保護を提供するように、及び／又は、事前設定可能な力が表面モジュールにかかり、例えば、特に敏感な表面モジュールの組合せについて保持装置を提供するように働く。また、これにより、例えば、光電積層のガラスを割るなどのあらゆる損傷を回避し得る。
【００５６】
ある好適な実施形態によると、脚部は、Ｕ形断面を有し、両側に２つの接触面を特徴付ける。面上には、支持側部が配置され、周辺縁端により、脚部に対して位置決め可能である。これにより、頭部は、捩れなく、脚部上に案内可能となる。
【００５７】
ある好適な実施形態によると、脚部は、接触面上に配列されるとともに接続要素を案内して頭部を脚部に対して位置決めするように配列された案内部を有する。この配列により、設置が簡単になり、配列の安定性が向上し得る。同時に、必要に応じて、腕部又は脚部の表面に、予め外側へ向けて張力を与えることが可能である。
【００５８】
ある好適な実施形態によると、接続要素は、保持装置が自動ロックされるように、脚部内に案内されている。これにより、保持装置の機能が更に向上する。自動ロックは、例えば、接続要素を、脚部上の介在部の接触部分の内側に配置することによって得られる。
【００５９】
また、上述の目的は、特に、組み合わされた太陽光パネルである少なくとも１つの表面モジュールと、特に、異形材レールである少なくとも１つの支持体と、本発明による少なくとも１つの保持装置とによるシステムで達成される。
【００６０】
好適な実施形態によると、保持装置は、少なくとも１つの表面モジュール及び支持体に対して、保持装置の脚部により接続され、脚部は、保持要素に対して押し込み式で接続され、好ましくは、引張荷重を受け、頭部は、少なくとも１つの表面モジュール上に配置され、好ましくは、少なくとも２つの接触部分を有し、且つ好ましくは、主として曲げ応力を受ける。これにより、表面モジュールを支持体上に締結する単純で安全な方法が可能となる。
【００６１】
ある好適な実施形態によると、支持体は、少なくとも１つの突起、特に内部縁端部分を有し、そこに対して、保持装置における脚部の介在部が、押し込み式でロックされる。このように、まず保持装置を、特に安全な方法で支持体上に設置可能な設置システムを提供することができる。
【００６２】
ある好適な実施形態によると、保持装置は、３つの接触部分を特徴付け、そのうちの少なくとも２つは、それぞれの表面モジュールと接触する。これにより、頭部は、表面モジュールのフレーム上に、向上した保持力で配置可能となる。単一の接触面と比べて、頭部が表面モジュールからずれる危険が低減している。
【００６３】
以下の図面により、本発明が更に詳述される。明瞭にするために、いくつかの参照符号は、必ずしも全ての図面において、引用されたり説明されたりしているわけではない。このような場合、対応する他の図面を参照されたい。
【図面の簡単な説明】
【００６４】
【図１】本発明の例示的実施形態による保持装置のいくつかの可能な角度位置の１つにおける模式的斜視図である。
【図２】図１に示す保持装置の更に別の模式的斜視図である。
【図３】図１に示す保持装置の側面図である。
【図４】中間クランプとして機能している図１に示す保持装置の平面図である。
【図５】支持体上に設置された保持装置のいくつかの可能な角度位置の１つにおける模式的斜視図である。
【図６】支持体を伴う図５に示す保持装置の更に別の模式的斜視図である。
【図７】図５に示す保持装置及び支持体の正面図である。
【図８】図５に示す保持装置及び支持体の側面図である。
【図９ａ】支持体を伴い、縁端クランプとして機能する図１に示す保持装置の更に別の模式的斜視図である。
【図９ｂ】中間クランプとして機能する図１に示す保持装置の他の角度位置における模式的斜視図である。
【図１０】本発明の他の例示的実施形態による保持装置のいくつかの可能な角度位置の１つにおける支持体上に取り付けられた状態の模式的側面図である。
【図１１】中間クランプとして機能している図１０に示す保持装置の平面図である。
【図１２Ａ】他の例示的実施形態による保持装置の正面図である。
【図１２Ｂ】他の例示的実施形態による保持装置の側面図である。
【図１３Ａ】図１２Ａ、図１２Ｂに示す保持装置の更に別の例示的実施形態による保持装置の脚部の側面図である。
【図１３Ｂ】図１２Ａ、図１２Ｂに示す保持装置の更に別の例示的実施形態による保持装置の脚部の平面図である。
【図１４Ａ】異形材レール上に取り付けられた配列での組立状態にある図１２Ａ、図１２Ｂ、図１３Ａ、図１３Ｂに示す保持装置の断面図である。
【図１４Ｂ】異形材レール上に取り付けられた配列での組立状態にある図１２Ａ、図１２Ｂ、図１３Ａ、図１３Ｂに示す保持装置の断面図である。
【図１４Ｃ】異形材レール上に取り付けられた配列での組立状態にある図１２Ａ、図１２Ｂ、図１３Ａ、図１３Ｂに示す保持装置の正面図である。
【図１５Ａ】図１２Ａ〜図１４Ｃにて説明した保持装置の頭部の斜視側面図である。
【図１５Ｂ】図１２Ａ〜図１４Ｃにて説明した保持装置の脚部の斜視側面図である。
【発明を実施するための形態】
【００６５】
図１は、頭部１２と、この頭部１２に対してねじ１９で接続された脚部１６とを有する保持装置１０を示す。ねじ１９は、頭部１２のプレート１３を貫通し、脚部１６の中央プレート１６ｃ内の相手ねじと係合している。ねじ１９は、垂直軸Ｈ上に位置決めされ、プレート１３及び中央プレート１６ｃの中央を貫通して案内され得る。プレート１３は、ねじ１９に対して垂直軸Ｈの周りに枢支され得るものであり、様々な角度位置、特に、４つの角度位置に配列可能である。プレート１３は、各々がプレート１３上の湾曲部１３ａに形成された３つの接触部分１４ａ、１４ｂ、１５を有する。その他に、接触部分１４ａ、１４ｂ、１５は、プレートの平面方向に関して、下端で突出していることで接触縁端を作製する。接触縁端により、プレート１３は、１つ又は２つ（場合によっては３つ）の表面モジュールと結合可能である。それらの接触縁端上に、特に、垂直軸Ｈにおける下端方向に、突出部が設けられ得るものであり（図示せず）、これは、表面モジュールと締結されると、表面モジュールへと押圧可能で、特に、例えば、表面モジュールの陽極処理などの表面被膜を除去することにより、プレート１３と表面モジュールとの間の電気的接続を形成することができる。
【００６６】
接触部分１５の１つの上に、プレート１３に影響を与え、横断軸Ｑの周りに曲げトルクＭを発生する、表面モジュール（図示せず）からの力を表した力の矢印Ｆ１が表れている。曲げトルクＭは、保持装置１０が１つのみの表面モジュールと結合したとき、及び／又は１つのみの表面モジュールが接触縁端１５上に締結されたときに、主として発生する。接触縁端１４ａ、１４ｂ、１５は、少なくとも対として、それぞれの表面モジュール上に位置し得る。単一の表面モジュールが締結された場合、接触縁端１５は、表面モジュール上に完全に配置可能で、接触縁端１４ａ、１４ｂの各々は、接触縁端１５の側に短い部分を伴うことになる。２つの対向する表面モジュールが締結された場合、接触縁端１４ａ、１４ｂの各々は、それぞれの表面モジュール上に完全に位置し、接触縁端１５は、それぞれの表面モジュール上の接触縁端１４ａ、１４ｂの側に、短い部分を伴うことになる。これにより、様々な方向の締結縁端が締結力及び／又は摩擦接続を作用させることができるため、確実に締結されるようになる。
【００６７】
曲げトルクＭは、頭部１２から脚部１６へと支持側部１２ａにより伝わり、及び／又はそこに接触圧力としてもたらされる。この目的のため、脚部１６は、支持側部１２ａ、すなわち接触面１６ａ及びインデント１６．１、１６．２とともに作用する領域又は部分を有し、支持側部１２ａは、インデント１６．１の１つの内に配置され、及び／又はそこでその配列において支持されている。インデント１６．１とともに、必要に応じて、リミッタ及び／又は留め具が設けられ得るものであり、そこに添うように、支持側部１２ａが、事前定義可能な締結力を設定するために、脚部１６に沿って再配置され得る。支持側部１２ａの側部端１２ａ．４が、インデント１６．１内で用いられ得る。更に、脚部１６は、２つの腕部１７ａ、１７ｂを特徴付けており、打抜表面部１７ａ．２が、腕部の各々に設けられ、各々が介在部１７．１、１７．２を有する。介在部１７．１、１７．２は、それぞれの特徴形状で、支持体（図示せず）上にてともに働くことが意図されている。更に、腕部１７ａ、１７ｂは、他の配列の支持側部１２ａが配置され得る案内面１７ａ．１、１７ｂ．１を特徴付けている。中央プレート１６ｃは、矩形状、特に正方形基礎形状である。これにより、支持側部１２ａは、中央プレート１６ｃの４つの側の全てに配置可能であるか、又は中央プレート１６ｃの４つの側の全てを通過するように案内され得るものであり、且つ垂直軸Ｈに対して定義された距離で保持され得る。
【００６８】
保持装置１０は、打ち抜かれて折り曲げられた部品として実現する。この目的のため、頭部１２は、１つの部品で形成され得る。特に、（金属）薄板から、支持側部１２ａとともに、プレート１３（中央にねじ１９用の開口を有する）の輪郭を打ち抜くことにより形成され得る。そして、湾曲部１３ａが導入され、支持側部１２ａが折り曲げられる。また、脚部１６も、１つの部分から形成され得るものであり、特に、（金属）薄板から始めて、中央プレート１６ｃに雌ねじを切ることにより形成され、（それぞれの）打ち抜かれる表面部１７ａ．２が打ち抜かれ、介在部１７．１、１７．２が形成されて、（それぞれの）案内面１７ａ．１、１７ｂ．１が折り曲げられる。これにより、迅速で費用効果の高い製造、及び低い単位原価が可能となる。
【００６９】
図２は、互いにＶ形の位置をとる支持側部１２ａの外側側部１２ａａ及び内側側部１２ａｂを示す。内側側部１２ａｂは、ねじ１９で支持されている。支持側部１２ａは、パネル材から、プレート１３と一体に作製される。湾曲部１３ａは、折り曲げることによりもたらされる。更に、追加の案内面１７ａ．２、１７ｂ．２が、他の打抜表面部１７ｂ．２とともに図示されている。支持側部１２ａは、案内面１７ａ．２、１７ｂ．２に沿って摺動し得る。
【００７０】
図３は、ねじ１９がプレート１３をどのように貫通するか、及び内側側部１２ａｂがねじ１９でどのように支持可能なのかについて、模式的に示す。プレート１３は、破線で示した開口１３ｂを示す。例えば、開口１３ｂは、穿孔又は打ち抜き孔である。内側側部１２ａｂは、少なくともねじ１９とほぼ直交して延びたフラップ１２ａｂ．１を有する。このように、内側側部１２ａｂは、その断面において、少なくともほぼ矩形状である。開口１２ａｂ．２が、フラップ１２ａｂ．１上に設けられ、破線で示されている。例えば、開口１２ａｂ．２は、穿孔又は打ち抜き孔である。ねじ１９は、開口１２ａｂ．２を貫通している。これにより、支持側部１２ａは、脚部１６、特にインデント１６．１とねじ１９との双方の上に静止可能となる。これにより、良好な安定性がもたらされる。フラップ１２ａｂ．１は、引張荷重に耐えるように設計されている。内側側部１２ａｂ及び外側側部１２ａａは、約１０度の角度αで配列され、内側側部１２ａｂは、少なくとも垂直軸Ｈとほぼ平行に配列されている。これにより、力及び／又はトルクが、プレート１３から脚部１６へと、都合の良い角度で伝達可能となる。このための外側側部１２ａａは、介在部１７．２の方向に下方へ延長された場合に、垂直軸Ｈの領域にて介在部１７．２と一致する角度で配列されている。これにより、支持側部１２ａにより脚部１６にかかる力は、支持体に対して中央で、垂直軸Ｈの領域に伝わる。このため、堅牢な配列が可能となる。
【００７１】
介在部１７．２は、接触面１６ａの拡張要素よりもそれぞれの方向に広い幅ｂ３を有する。幅ｂ３は、それぞれの方向でプレート１３の拡張要素の幅範囲内となっている。これにより、一方で、締結力が、対応する接触部分１４ｂと表面モジュールとの間にかかり、対応する介在部１７．２と支持体との間の力が同等の長手部分上にかかることになるので、まず、堅牢な配列が可能となり、次に、両界面に、同等の接触力が確実にかかるようになる。
【００７２】
図４は、支持側部１２ａが意図されていない、プレート１３の側面の２つの角における凹部１３．１、１３．２を示す。凹部１３．１、１３．２には、各々の場合に、プレート１３に設けられた接触部分１４ａ、１４ｂ、１５が、湾曲部により容易に形成され得るという利点があり、湾曲部が設けられる前に、凹部１３．１、１３．２は容易に適用される（特に、打ち抜かれる）。したがって、プレート１３は、矩形状、特に正方形基礎形状である。接触部分１４ａ、１４ｂ、１５は、凹部１３．１、１３．２を除き、プレート１３の横方向全体の長さに亘って、形成されている。プレート１３は、幅ｂ１になっている。支持側部１２ａは、プレート１３の幅ｂ１未満の幅ｂ２になっている。プレート１３は、支持側部１２ａの両側で、支持側部１２ａに重なっている。これにより、それぞれの接触縁端１４ａ、１４ｂは、対応する表面モジュール２０上に、確実に配置される。表面モジュール２０は、全体像がよくわかるように、図４では示唆されているのみである。それぞれの接触縁端１４ａ、１４ｂに加えて、対応する表面モジュール２０上に配置される接触縁端１５の短い部分もある。これにより、確実に、安全な締結が実現する。接触縁端１５の短い部分により、確実に、例えば、表面モジュール２０は、それぞれの接触縁端１４ａ、１４ｂが保持装置１０に対して拡張する方向にずれないようになる。保持装置１０は、中間クランプとして機能する際、特に、保持している２つのモジュールが互いに所定の距離をとるように保持するようにも働く。
【００７３】
図５では、保持装置１０（特に、図１に示す保持装置）と支持体３０とからなるシステム１が、図示されており、保持装置１０は、場合によって、脚部に対して頭部を９０°回転した配列にて、図示せぬ１つ又は２つの表面モジュールに対して締結され、より良好な全体像を提供する。保持装置１０のプレート１３上には、保持装置１０が中間クランプとして用いられた場合に、設置後に２つの表面モジュール（図示せず）からプレート１３にかかる力を各々表した２つの力の矢印Ｆ２が、示されている。これに対し、縁端クランプとしての配列では、頭部１２における支持側部１２２からプレート１３上に、反対側から、単一の力のみがかかる。力Ｆ２は、横断軸Ｑの周りに曲げトルクを発生させない代わりに、ねじ１９上に張力、プレート１３内に曲げトルクを発生させるが、必ずしも、支持側部１２ａを介して脚部１６に伝わるわけではない。例示されたこのような応力の状況にて、頭部１２は、引張応力下で、ねじ１９により、主に脚部１６と相互作用する。この応力状況下では、支持側部１２ａは、力を伝える主要な機能を有していない。ただし、支持側部１２ａは、保持装置１０に対するこのような応力状況においても、特に、側部端１２ａ．４を、脚部１６上の事前定義された位置へと配置することにより、ある種の締結力を調整するようにはたらき得る。それでも、更に別の表面モジュールが設けられ得る。すなわち、支持側部１２ａと反対側の接触部分１５に設けられ得る。この場合、支持側部１２ａは、横断軸Ｑの周りに発生した曲げトルクを脚部１６へと伝える機能をも有する。
【００７４】
支持体３０は、異形材レールとして形成されており、支持体３０の一方のモジュール側３１に内側異形材３２がある。保持装置１０は、介在部１７．１、１７．２により、モジュール側３１の異形材レール３０に対して接続されている。異形材レール３０は、側面領域３３ａと下面２４とを有する。脚部１６の腕部１７ａは、モジュール側３１に配置され得る。更に、打抜表面部１７ａ．２の１つが図示されており、この表面部は、接触面１６ａよりも内側へ折り曲げられ（他の見えていない打抜表面部とともに）及び／又は内側へオフセットしている。したがって、打ち抜かれた表面領域により、クリップ接続されることが可能となる。この接続は、取り扱いが簡単で、特に、片手で簡単に取り扱うことができるので、例えば傾斜した屋根などへの設置に有利である。
【００７５】
図６は、内側へ折り返されるか、又は接触領域１６ｂに対してオフセットした、打抜表面部１７ｂ．２の１つを示す。この配列にて、打抜表面領域１７ｂ．２は、予め弾性張力を内側異形材３２にかけている。そのうえ、更に別の異形材のために準備がなされた他の側面３３ｂが、図示されている。必要に応じて、保持装置若しくは更に別の設置具が、異形材上に配列され得るものであり、又は支持体３０が、この手段により、ファサードの屋根補強材に取り付けられ得る。
【００７６】
図７は、支持側部１２ａの幅ｂ２が、少なくともほぼ中央プレートの幅ｂ４となることを示す。これにより、支持側部１２ａは、あらゆる（点での）急増なく、広い領域に亘って、脚部１６へと力をもたらす。支持側部１２ａの幅ｂ２は、少なくとも一般的に均一である。すなわち、側部端１２ａ．４は、幅ｂ４の領域内での幅をも示している。これにより、できる限り低い脚部１６上の圧力にて、できる限り広い表面に亘って、力が伝達可能となる。内側側部１２ａｂ．１は、プレート１３の下になるまで案内されて、フラップ１２ａｂ．１は、プレート１３に隣接してプレート１３の下に配置される。これにより、支持側部１２ａの機能は、確実に、プレート１３が中央プレート１６ｃに対して有する距離から、すなわち、保持装置１０が設置されるべき締結高さから、少なくとも大幅に独立するようになる。介在部１７．１、１７．２は、内側異形材３２を裏側で係合させるフック１７．１１、１７．１２を有する。フック１７．１１、１７．１２は、例えば、介在部１７．１、１７．２を折り曲げることにより、形成され得る。
【００７７】
図８は、垂直軸に対する外側側部１２ａａの方向を示し、角度βが、垂直軸Ｈに平行な軸に対して約８度として示されている。垂直軸Ｈ及び／又はねじ１９に対する外側側部１２ａａのこのような配置により、プレート１３から脚部１６への力又はトルクの伝達が、有利な角度でなされることが可能となる。角度βは、図３に関連して説明した角度αよりも小さくなることが好ましい。換言すると、内側側部１２ａｂは、外側側部１２ａａが垂直軸Ｈへと傾斜した角度とは逆に配置された角度で、傾斜していることが好ましい。これにより、支持側部１２ａが、ねじ１９上とともに脚部１６上に安定して支持されることが可能となり、効率的な方向の力の三角形が得られる。内側に傾斜した内側側部１２ａｂの配列により、支持側部１２ａに、良好な形状安定性が得られる。
【００７８】
打抜表面部１７ｂ．２は、二重錐体（ｄｏｕｂｌｅ−ｃｏｎｅ）で形成され、錐体の先端は互いの方を向いている。この面は、接触面１６ｂの広い領域に亘って延びており、特に、垂直軸Ｈの方向における接触面１６ｂの範囲の少なくとも２／３に亘る。これにより、利用しやすい弾性曲げメカニズムが与えられ、打抜表面部１７ｂ．２と接触面１６ｂとの間の移行領域における曲げ張力が、低いレベルに保たれ得る。これにより、確実に、保持装置１０が頻繁に再利用可能となる。これは、繰り返し設置（除去）され得ることを意味し、同時に、打抜表面部１７ｂ．２の異形材レール上での弾性圧力のために予め与えられた張力が、長期間に亘って維持可能となることを意味する。
【００７９】
図９ａは、下から見た保持装置１０を示す。支持側部１２ａを一体に備える頭部１２の設計が明瞭に見えており、この支持側部は、プレート１３からＶ形に延び、フラップ１２ａｂ．１は、プレート１３と少なくともほぼ平行、且つ、ねじ１９と少なくともほぼ直交するように配列されている。支持側部１２ａは、側部端１２ａ．４で、インデント１６．２のうちの１つ上で静止している。
【００８０】
図９ｂは、別の角度で下から見た保持装置１０を示す。脚部１６と比べて、頭部１２は、垂直軸Ｈの周りを９０度回転している。支持側部１２ａは、インデント１６．２のうちの１つの上に静止しているのではなく、接触面１６ａ、１６ｂのうちの１つの上に静止している。
【００８１】
図１０は、頭部１２がフラップのある支持側部を有しておらず、その代わりに、ブラケット又は角として形成された支持側部１２ｂ、すなわち、内側側部が追加されていない支持側部１２ｂを有する、例示的実施形態を示す。本例では、頭部１２には、Ｌ形角断面が形成されており、側部１２ｂａは、下方へ突出している。支持側部１２ｂの側部１２ｂａは、このような場合に、角度βで、図８にて説明した外側側部１２ａａとして配列されている。これにより、支持側部１２ｂの張力を予め良好に与えることが可能となる。上述の説明において記述された支持側部１２ａに関する説明は、当然、一側部付の支持側部１２ｂにも同様にあてはまる。
【００８２】
図１１は、支持側部１２ｂが、折り返し又は縁端１２ｂ．１を両側に有する例示的実施形態を示す。頭部１２における支持側部１２ｂ及び部分的にはプレート１３は、各々、ビード（ｂｅａｄｉｎｇ）１２ｂ．２を有する。ビード１２ｂ．２により、確実に、力を都合よく分配することができ、対応する形状をとるようにするために有益である。周辺縁端１２ｂ．１は、異形材及び／又は異形材レールの表面に接触するのに適しており、このために適切な長さを有する。周辺縁端１２ｂ．１は、以下に図示する文脈にて後述するように、支持側部１２ｂの全長に亘って延びていることが好ましい。周辺縁端１２ｂ．１により、異形材レール上の保持装置１０の横断的な移動のため摺動機能が可能となる。
【００８３】
支持側部１２ｂの幅は、脚部１６の幅よりも広い。これにより、支持側部１２ｂは、頭部１２ａが脚部１６へと螺合された場合に、脚部１６を取り巻く、すなわち枠で囲むことが可能となる。
【００８４】
図１２Ａは、脚部に対して押圧又は螺合されてこの過程において脚部を固定するように配列されたプレート１１３のある頭部１１２を示す。図１２Ｂは、脚部（図１３Ａ）に対して頭部１１２の方向を決定するために使用可能な周辺縁端１２ｂ．１のある支持側部１２ｂを示す。周辺縁端１２ｂ．１は、この過程において、脚部の接触面の１つの枠を規定し得る。支持側部１２ｂの周辺縁端１２ｂ．１の範囲にて、頭部１１２は、スナップ輪郭１２ｂ．３（例えば、インデント又は溝）を有する。このスナップ輪郭は、押し込み式で接続され、脚部上の対応するスナップ輪郭に形状的に対応している。支持側部１２ｂは、プレート１１３及び支持側部１２ｂを形成するＬ形断面の腕部で形成されている。支持側部１２ｂは、内部へのオフセット１２ｂ．４を有し、特にＳ形輪郭になっている。一方で、Ｓ形輪郭により、都合の良い力の経路が得られる。他方、支持側部１２ｂは、この形状において著しく狭くなった脚部上に配置可能となる。
【００８５】
図１３Ａは、対応する脚部１１６を示す。脚部１１６は、両側に２つの接触面１１６ａを有し、各接触面は、接続要素（特にねじ）を案内する案内部１１６．１を特徴付けている。案内部１１６．１は、内側へ折り曲げられるか又は打ち抜かれたそれぞれの接触面１１６ａの一部として形成され得る。案内部１１６．１は、接触面１１６ａの幅の約１／３に対応する幅ｂ５を有する。接触面１１６ａの横方向のそれぞれの縁端上に、頭部１１２のスナップ輪郭１２ｂ．３と形状的に対応したスナップ輪郭１１６．２が形成されている。これらのスナップ輪郭は、頭部１１２を脚部１１６に対して、事前定義可能な相対位置に位置決めするために用いられ得る。脚部１１６は、両側に配列された２つの介在部１７．１、１７．２を、更に有する。
【００８６】
図１３Ｂは、脚部１１６の中央プレート１１６ｃを示す。この中央プレートには、寸法が図示されていないが、内径及び外径により示された、ねじ切りされた孔１８がある。ねじ切りされた孔１８は、接続要素（特にねじ）のねじ筋に対応した形状に形成されている。脚部１１６は、Ｕ形断面になっている。
【００８７】
図１４Ａ及び図１４Ｂは、以下に示すように頭部１１２と脚部１１６とを備えた保持装置１１０を示す。頭部１１２は、ねじ１１９のある脚部１１６に対して位置決めされており、ねじ１１９は、２つの案内部１１６．１を貫通している。案内部１１６．１は、ねじ１１９のねじ筋に対応した輪郭又は構造を有し得る。介在部１７．１、１７．２は、それぞれ、接触部分１７．１ａ、１７．２ａを有する。接触部分上にて、ねじ１１９の下部自由端は、介在部１７．１、１７．２が内側へずれないように、位置決めされ得る。これにより、保持装置１１０は自動的にロックされる。図１４Ｂは、頭部１１２の角度位置が、事前定義可能、且つ脚部１１６に対して不変となるように、周辺縁端１２ｂ．１が、対応する接触面１１６ａとどのように係合可能かを示す。
【００８８】
図１４Ａ、図１４Ｂは、周辺縁端１２ｂ．１のみが接触面１１６ａの１つと係合した、保持装置１１０の配列を示す。その他にも、頭部１１２は、周辺縁端１２ｂ．１が両接触面１１６ａと係合して、周辺縁端１２ｂ．１及び支持側部１２ｂが、接触面１１６ａの１つを覆わないものの横方向に２つの接触面１１６ａを枠付けするように、脚部１１６に対して位置合わせされてもよい。この配列では、周辺縁端１２ｂ．１は、同様に、２つの接触面１１６ａと接触することにより、脚部１１６に対する頭部１１２の角度位置が、確実に事前定義されるとともに不変となり得る。この配列では、図１４Ａ、図１４Ｂに示す配列について、頭部１１２は、脚部１１６に対して一方又は他方の方向に９０度回転している。ここでのそれぞれの接触面１１６ａの幅は、接触面１１６ａ相互の距離に対応していることが好ましい。これにより、脚部１１６に対し、あらゆる相対角度位置において、確実に、頭部１１２が正確に位置決めされる。
【００８９】
図１４Ｃは、頭部１１２のビード１２ｂ．２を示す。ここでのビード１２ｂ．２は、支持側部１２ｂの凹状のアーチ部に対応するとともにプレート１１３へと延びていることが好ましい。ビード１２ｂ．２により、第１に、支持側部１２ｂの形状安定性が確実に高まり、第２に、支持側部１２ｂができるように、頭部１１２を容易に形成し得るようになる。
【００９０】
図１５Ａ及び図１５Ｂは、各々、保持装置全体について単純で堅牢な構成を示す頭部１１２及び脚部１１６を、横方向での斜視図で示す。保持装置は、接続要素を伴う３つの部品のみからなる。
【符号の説明】
【００９１】
１  システム、特に、太陽光モジュール・システム
１０、１１０  保持装置
１２、１１２  頭部
１２ａ  支持側部
１２ｂ  角の１つとして形成された支持側部
１２ｂ．１  周辺の折り返し、周辺縁端
１２ｂ．２  ビード
１２ｂ．３  スナップ輪郭（例えば、溝又は凹み）
１２ｂ．４  内側へのオフセット
１２ａ．４  側部点
１２ａａ  外側側部
１２ｂａ  側部
１２ａｂ  内側側部
１２ａｂ．１  内側側部上のフラップ
１２ａｂ．２  フラップ内の開口
１３、１１３  プレート
１３ａ  湾曲部
１３．１  凹部、特に、押し抜き
１３．２  凹部、特に、押し抜き
１３ｂ  プレート内の開口
１４ａ  接触部分、特に接触縁端
１４ｂ  接触部分、特に接触縁端
１５  接触部分、特に接触縁端
１６、１１６  脚部
１６．１  インデント
１６．２  インデント
１１６．１  案内部
１１６．２  スナップ輪郭（例えば、溝又は凹み）
１６ａ、１１６ａ  接触面
１６ｂ  接触面
１６ｃ、１１６ｃ  中央プレート
１７ａ  腕部
１７ｂ  腕部
１７ａ．１  案内面及び／又は腕部上のブリッジ
１７ｂ．１  案内面及び／又は腕部上のブリッジ
１７ａ．２  腕部上の打抜表面
１７ｂ．２  腕部上の打抜表面
１７．１  介在部
１７．１ａ  接触部分
１７．２  介在部
１７．２ａ  接触部分
１７．１１  介在部上のフック
１７．１２  介在部上のフック
１８  ねじ切りされた孔
１９、１１９  接続要素
２０  表面モジュール
３０  支持体、特に異形材レール
３１  モジュール側
３２  異形材、特に、内部異形材、及び／又は突出した縁端部
３３ａ  側面
３３ｂ  側面
３４  下面
ｂ１  頭部の最大幅、及び／又はその１つのプレートの幅
ｂ２  支持側部幅
ｂ３  介在部幅
ｂ４  中央プレート幅
ｂ５  案内部幅
Ｆ１  １つの表面モジュールの締結のために頭部に加わる力
Ｆ２  ２つの表面モジュールの締結のために頭部に加わる力
Ｈ  垂直軸
Ｍ  横断軸の周りの曲げトルク
Ｑ  横断軸
α  側部１２ａａ、１２ａｂ間の角度
β  垂直軸と外側側部との間の角度
【図１】
2016519729.tif 000003
【図２】
2016519729.tif 000004
【図３】
2016519729.tif 000005
【図４】
2016519729.tif 000006
【図５】
2016519729.tif 000007
【図６】
2016519729.tif 000008
【図７】
2016519729.tif 000009
【図８】
2016519729.tif 000010
【図９ａ】
2016519729.tif 000011
【図９ｂ】
2016519729.tif 000012
【図１０】
2016519729.tif 000013
【図１１】
2016519729.tif 000014
【図１２Ａ】
2016519729.tif 000015
【図１２Ｂ】
2016519729.tif 000016
【図１３Ａ】
2016519729.tif 000017
【図１３Ｂ】
2016519729.tif 000018
【図１４Ａ】
2016519729.tif 000019
【図１４Ｂ】
2016519729.tif 000020
【図１４Ｃ】
2016519729.tif 000021
【図１５Ａ】
2016519729.tif 000022
【図１５Ｂ】
2016519729.tif 000023
【国際調査報告】
2016519729.tif 000024
2016519729.tif 000025
2016519729.tif 000026
2016519729.tif 000027
2016519729.tif 000028
2016519729.tif 000029